(57)【特許請求の範囲】
【請求項１】
概略中空筒状を呈し、その先端部に小径部を有する本体と、
本体小径部に着脱自在に嵌合されるキャップと、
本体小径部の開口内に液密に嵌着される先軸と、
先軸先方に突出して設けられた塗布体と、
前記本体後端開口から密着して摺動可能に設けられたピストン体とを備えて、前記先軸後端、前記本体内側、およびピストン体によって囲まれる部分で塗布液収容空間が形成されると共に、塗布液収容空間内の液体化粧料を、前記ピストン体を先端方向へと移動させ、押圧する液押圧手段を構成し、該液押圧手段の押圧により高粘度の塗布液を先端の塗布体へと供給するようにした液体化粧料塗布具であって、
前記塗布液収容空間内に収容している前記高粘度の塗布液は、塗布体の使用後に無加圧状態になったときに連通路の吐出側に残留する程度の粘度を有し、
塗布体は、ゴム、エラストマー、または復元性を有する独立気泡体から選ばれた弾性体からなり、常時開口している吐出口と、先端側が前記吐出口に通じかつ後端側が前記塗布液収容空間に貫通孔を介して通じる前記連通路と、前記吐出口からさらに先端へ突出して設けられている液保持部を有する塗布部分とを備えると共に、
前記吐出口は、前記塗布部分後端から立ち上がる斜面または垂直面に開口し、
前記先軸の先端から突出した部分には、断面下方側が前記塗布部分と略同じ厚み、及び断面上方側が前記塗布部分未満の厚みの、ゴム、エラストマー、または復元性を有する独立気泡体から選ばれた弾性体によって囲まれる前記連通路が形成されたことを特徴とする液体化粧料塗布具。
【請求項２】
前記塗布部分後端から立ち上がらせる斜面は、前記塗布体の一面に段差形成された肩部を構成することを特徴とする請求項１に記載の液体化粧料塗布具。
【請求項３】
塗布体は、扁平な先細り形状を呈していることを特徴とする請求項１または２に記載の液体化粧料塗布具。
【請求項４】
塗布体には、連通路に繋がる貫通孔が形成されており、
この貫通孔には、塗布液収容空間から前記連通路に液体化粧料を導き、かつ、塗布体支持用の塗布液供給パイプが嵌挿固定されていることを特徴とする請求項１から３のうちの１項に記載の液体化粧料塗布具。
【請求項５】
塗布体の塗布部分の平面部は、液体化粧料を一時保持するように粗面に形成されていることを特徴とする請求項１から４のうちの１項に記載の液体化粧料塗布具。
【請求項６】
連通路の一部および吐出口の一辺が前記粗面の平面部と連続面上に形成されていることを特徴とする請求項５に記載の液体化粧料塗布具。
【請求項７】
塗布体の塗布部分は、幅方向に見て中央部が側部よりも凹んだ概スコップ状に形成されて、液体化粧料を一時保持するようになっていることを特徴とする請求項１から３のうちの１項に記載の液体化粧料塗布具。
【請求項８】
前記液押圧手段は、
前記ピストン体後端に、その先端部が連結され、外周面部が横断面視して異形のカム形状を呈し、外周に雄ねじ部が形成されたねじ棒と、
前記ねじ棒と軸方向に摺動可能にかつ相対回転不能に係合し、前端近傍の少なくとも１箇所に突起が径方向外側方向に設けられた片持ち梁状の弾性構造を表面に持つ内筒材と、
前記内筒材後端と嵌合する外筒キャップと、
前記ねじ棒の外周雄ねじ部に螺合する雌ねじ部、および、前記内筒材前端近傍の片持ち梁状の弾性構造の突起と噛み合う溝部を備えた噛み合わせ部を内周に持つ保持部材とを備えて、
前記外筒キャップを回転させることによってねじ棒が前記保持部材の雌ねじで前進してピストン体を押して、
前記塗布液収容空間内の前記高粘度の塗布液を押圧により、先端の塗布体へと供給するようにした請求項１から７のうちの１項に記載の液体化粧料塗布具。
【請求項９】
前記内筒材前端近傍に形成された片持ち梁状の弾性構造の突起が、断面三角形屋根状であることを特徴とする請求項８に記載の液体化粧料塗布具。
【請求項１０】
液体化粧料塗布具は、外筒キャップを一方側に回転させることによってねじ棒が前記保持部材の雌ねじで前進してピストン体を押して、塗布液収容空間内の液体化粧料を加圧する液押圧手段と共に、前記外筒キャップを他方側に回転させることによってねじ棒が前記保持部材の雌ねじで後退してピストン体を引いて、塗布液収容空間内の液体化粧料を減圧する液減圧手段を構成し、
保持部材の内周面には、前記内筒材前端部近傍に形成された弾性構造の突起が嵌り込む歯状のラチェット溝からなる、噛合わせ部が内面全周に形成されていて、この噛合わせ部の歯は、内周側角部が一方側がなだらかで他方側が切り立っていて、
噛合わせ部では、外筒キャップを一方側に回転させることによって、突起が歯同士間の溝部からなだらかな角部を乗り越えて次の溝に嵌り込み、他方、外筒キャップを他方側に回転させることによって、突起が歯同士間の溝部から切り立った角部を乗り越えて次の溝に嵌り込む構成を有して、
外筒キャップを他方側方向に回転させるのに、一方側方向に回転させるよりも強い回転力を必要にして、規制感を感じさせつつ重く回る液減圧手段を構成したことを特徴とする請求項８に記載の液体化粧料塗布具。
【請求項１１】
液押圧手段において、前記外筒キャップと嵌合する前記内筒材後端の嵌合部には、径方向外側向きの突起を備える片持ち梁状の弾性構造を持ち、前記外筒キャップ内側には内筒材後端の突起が噛み合う溝部を備え、
操作時に一定以上の回転力が付与されていない場合、外筒キャップと内筒材が一体に回転し、一方、一定以上の回転力が付与された場合、弾性構造の突起が外筒キャップの溝から外れて外筒キャップと内筒材相対回転するクラッチ構造を有していることを特徴とする請求項８から１０のうちの１項に記載の液体化粧料塗布具。
【発明の詳細な説明】
【技術分野】
【０００１】
本発明は、液体化粧料塗布具に関するものであり、特に、皮膚や口腔などの軟質な被塗布体へ液体化粧料を塗布するための液体化粧料塗布具に関するものである。
【背景技術】
【０００２】
従来、液体化粧料塗布具には液体化粧料からなる塗布液を塗布部に適時に供給するために本体内部の塗布液を加圧するための液押圧機構、又は液押圧手段を有したものがある。
【０００３】
例えば、軸筒の前端部に塗布部材を取り付けると共に塗布部材の後方で軸筒内に液体を貯蔵するタンクを設け、タンクから吐出する液体を塗布部材に導く導入孔部を設け、タンク内にピストンを軸方向に摺動自在に嵌着し、該ピストンを前進させて前記タンク内の液体を前記導入孔部を介して前記塗布部材へ押し出す液押し出し手段（液押圧機構）を軸筒後端部に設けた液体塗布具が提案されている（特許文献１を参照）。
【０００４】
また、液体が収納されたタンク部を有する本体と、本体の先端部に連結され液体を供給する先端供給体を有する供給機構と、タンク部内の液体を供給機構へと押し出すための駆動機構と、を備えた液体容器が提案されている（特許文献２を参照）。
【０００５】
このような液体塗布具にあっては、その使用後に毛筆状の塗布体部中に塗布液が多量に含まれた状態で外気に触れるため、塗布体に含まれた塗布液の経時劣化や腐敗を起こしやすいという課題が見られる。
【０００６】
また、塗布部に弾性体を用い、塗布液の経時劣化や外気の進入を防止する機構を有する液体塗布具或いは塗布容器が知られている。
【０００７】
例えば、内部に塗布液を収容する塗布容器本体と、塗布容器本体の前端に設けられて塗布液を被塗布体に塗布する塗布体とを備え、軟質の被塗布体に塗布体の前端を接触させて塗布液を被塗布体に塗り付けるようにして使用する塗布容器であり、塗布体は、前後両端が常時開口した略筒状の弾性体からなり、かつ、前記塗布容器本体内の塗布液を導入して前端開口より吐出するものが提案されている（例えば、特許文献３を参照）。
【０００８】
しかしながら、これらの液体塗布具は、塗布液の滴下には適するものの、塗布液を広範囲へ簡便に塗布し難いという課題がある。また、容器の構造上高粘度の塗布液と組み合わせるとさらに使用し難いという欠点も見られる。
【特許文献１】特開平９−３２２８１９号公報
【特許文献２】特開２００４−８９５９２号公報
【特許文献３】特開平９−１９２５８１号公報
【発明の開示】
【発明が解決しようとする課題】
【０００９】
したがって、本発明は、上記従来の課題等に鑑み、これを解消しようとするものであり、高粘度の液体化粧料であっても、広範囲に簡便に塗布しうる液体化粧料塗布具を提供することを目的とする。
【課題を解決するための手段】
【００１０】
本発明者らは、軟質な被塗布体への塗布にはその塗布体が弾性材であることが好適なことに着目し、本体に設けられる液押圧機構と組み合わせ、貫通孔からなる連通路の吐出口から更に先端へ突出して、塗布体の塗布部分を形成することによって、上記目的を達成できることを見出し本発明に至ったものである。
【００１１】
即ち、本発明の液体化粧料塗布具は、以下の構成あるいは手段を特徴とするものである。
請求項１の発明は、概略中空筒状を呈し、その先端部に小径部を有する本体と、
本体小径部に着脱自在に嵌合されるキャップと、
本体小径部の開口内に液密に嵌着される先軸と、
先軸先方に突出して設けられた塗布体と、
前記本体後端開口から密着して摺動可能に設けられたピストン体とを備えて、前記先軸後端、前記本体内側、およびピストン体によって囲まれる部分で塗布液収容空間が形成されると共に、塗布液収容空間内の液体化粧料を、前記ピストン体を先端方向へと移動させ、押圧する液押圧手段を構成し、該液押圧手段の押圧により高粘度の塗布液を先端の塗布体へと供給するようにした液体化粧料塗布具であって、
前記塗布液収容空間内に収容している前記高粘度の塗布液は、塗布体の使用後に無加圧状態になったときに連通路の吐出側に残留する程度の粘度を有し、
塗布体は、ゴム、エラストマー、または復元性を有する独立気泡体から選ばれた弾性体からなり、常時開口している吐出口と、先端側が前記吐出口に通じかつ後端側が前記塗布液収容空間に貫通孔を介して通じる前記連通路と、前記吐出口からさらに先端へ突出して設けられている液保持部を有する塗布部分とを備えると共に、
前記吐出口は、前記塗布部分後端から立ち上がる斜面または垂直面に開口し、
前記先軸の先端から突出した部分には、断面下方側が前記塗布部分と略同じ厚み、及び断面上方側が前記塗布部分未満の厚みの、ゴム、エラストマー、または復元性を有する独立気泡体から選ばれた弾性体によって囲まれる前記連通路が形成されたことを特徴とする液体化粧料塗布具である。
請求項２の発明は、前記塗布部分後端から立ち上がらせる斜面は、前記塗布体の一面に段差形成された肩部を構成することを特徴とする請求項１に記載の液体化粧料塗布具である。
【００１２】
請求項３の発明は、塗布体は、扁平な先細り形状を呈していることを特徴とする請求項１または２に記載の液体化粧料塗布具である。
請求項４の発明は、塗布体には、連通路に繋がる貫通孔が形成されており、この貫通孔には、塗布液収容空間から前記連通路に液体化粧料を導き、かつ、塗布体支持用の塗布液供給パイプが嵌挿固定されていることを特徴とする請求項１から３のうちの１項に記載の液体化粧料塗布具である。
【００１３】
請求項５の発明は、塗布体の塗布部分の平面部は、液体化粧料を一時保持するように粗面に形成されていることを特徴とする請求項１から４のうちの１項に記載の液体化粧料塗布具である。
請求項６の発明は、連通路の一部および吐出口の一辺が前記粗面の平面部と連続面上に形成されていることを特徴とする請求項４に記載の液体化粧料塗布具である。
請求項７の発明は、塗布体の塗布部分は、幅方向に見て中央部が側部よりも凹んだ概スコップ状に形成されて、液体化粧料を一時保持するようになっていることを特徴とする請求項１から３のうちの１項に記載の液体化粧料塗布具である。
請求項８の発明は、前記液押圧手段は、
前記ピストン体後端に、その先端部が連結され、外周面部が横断面視して異形のカム形状を呈し、外周に雄ねじ部が形成されたねじ棒と、
前記ねじ棒と軸方向に摺動可能にかつ相対回転不能に係合し、前端近傍の少なくとも１箇所に突起が径方向外側方向に設けられた片持ち梁状の弾性構造を表面に持つ内筒材と、
前記内筒材後端と嵌合する外筒キャップと、
前記ねじ棒の外周雄ねじ部に螺合する雌ねじ部、および、前記内筒材前端近傍の片持ち梁状の弾性構造の突起と噛み合う溝部を備えた噛み合わせ部を内周に持つ保持部材とを備えて、
前記外筒キャップを回転させることによってねじ棒が前記保持部材の雌ねじで前進してピストン体を押して、
前記塗布液収容空間内の前記高粘度の塗布液を押圧により、先端の塗布体へと供給するようにした請求項１から７のうちの１項に記載の液体化粧料塗布具である。
請求項９の発明は、前記内筒材前端近傍に形成された片持ち梁状の弾性構造の突起が、断面三角形屋根状であることを特徴とする請求項８に記載の液体化粧料塗布具である。
【００１４】
請求項１０の発明は、液体化粧料塗布具は、外筒キャップを一方側に回転させることによってねじ棒が前記保持部材の雌ねじで前進してピストン体を押して、塗布液収容空間内の液体化粧料を加圧する液押圧手段と共に、前記外筒キャップを他方側に回転させることによってねじ棒が前記保持部材の雌ねじで後退してピストン体を引いて、塗布液収容空間内の液体化粧料を減圧する液減圧手段を構成し、
保持部材の内周面には、前記内筒材前端部近傍に形成された弾性構造の突起が嵌り込む歯状のラチェット溝からなる、噛合わせ部が内面全周に形成されていて、この噛合わせ部の歯は、内周側角部が一方側がなだらかで他方側が切り立っていて、
噛合わせ部では、外筒キャップを一方側に回転させることによって、突起が歯同士間の溝部からなだらかな角部を乗り越えて次の溝に嵌り込み、他方、外筒キャップを他方側に回転させることによって、突起が歯同士間の溝部から切り立った角部を乗り越えて次の溝に嵌り込む構成を有して、
外筒キャップを他方側方向に回転させるのに、一方側方向に回転させるよりも強い回転力を必要にして、規制感を感じさせつつ重く回る液減圧手段を構成したことを特徴とする請求項８に記載の液体化粧料塗布具である。
【００１５】
請求項１１の発明は、液押圧手段において、前記外筒キャップと嵌合する前記内筒材後端の嵌合部には、径方向外側向きの突起を備える片持ち梁状の弾性構造を持ち、前記外筒キャップ内側には内筒材後端の突起が噛み合う溝部を備え、
操作時に一定以上の回転力が付与されていない場合、外筒キャップと内筒材が一体に回転し、一方、一定以上の回転力が付与された場合、弾性構造の突起が外筒キャップの溝から外れて外筒キャップと内筒材相対回転するクラッチ構造を有していることを特徴とする請求項８から１０のうちの１項に記載の液体化粧料塗布具である。
【発明の効果】
【００１６】
以上のような本発明の構成或いは手段によれば、塗布体は、ゴム、エラストマー、または復元性を有する独立気泡体から選ばれた弾性体からなり、常時開口している吐出口と、前記吐出口からさらに先端へ突出して設けられている液保持部を有する塗布部分とを備えると共に、前記先軸部から突出し、前記塗布液収容空間と前記吐出口に通じ、前記塗布部分と略同じ厚み、あるいは、前記塗付部分未満の厚みの、ゴム、エラストマー、または復元性を有する独立気泡体から選ばれた弾性体によって囲まれる連通路が形成されている。
【００１７】
そして、本体内の液体化粧料が液押圧手段によって加圧されたときには、液体化粧料が塗布体の連通路を通ってその吐出口より吐出する。
【００１８】
また、塗布体の塗布部分は、連通路の吐出口から更に先端に突出して設けられていることから、吐出口からの液体化粧料をその塗布部分に確実に移すことができる。
【００１９】
また、使用時、塗布部は、吐出口よりも先端に突出して設けられていることから、液体化粧料を対象面に塗り広げやすく、また、使用後に塗布部分を簡単に拭き取ることができ、外部に付着する液体化粧料は存在しなくなる。
【００２０】
したがって、液体化粧料が高粘度であっても、簡便に塗布し得るだけでなく、外部での微生物汚染もなく、外気や外部からの微生物汚染等が全く生じることがなく内蔵する液体化粧料を適切に保護することができる。
【００２１】
また、本発明において、上記のような連通路の吐出口に、吐出した液体化粧料を一時保持する液保持部を塗布部に設けること、或いは塗布部自身をそのような形態とすることによって、吐出した液体化粧料を効率良く一時保留することができる。吐出口からの液飛び出しによるボタ落ちを回避することができる。
また、液押圧手段の加圧操作にも許容性が出てくる。また、使用後において、かかる液保持部に溜まる液体化粧料はティッシュペーパーやウエス等で容易に拭き取ることができ、衛生面に優れる。
【００２２】
また、本発明において、本体内部の液体化粧料を減圧する液減圧手段を設けて、液体化粧料に対する加圧を停止し塗布に使用した以後に、液体化粧料を前記液減圧手段で減圧することによって、液体化粧料を連通路から意図的に本体側に引き込みことができるようになる。
【００２３】
したがって、仮に、収容している液体化粧料に粘度が有りまたは高く、使用後に無加圧状態になったときに連通路の吐出側に液体化粧料が残留する程度の粘度の液体化粧料であっても、液減圧手段によって液体化粧料を減圧することによって連通路から液体化粧料を強制的に引き込むことができる。
【００２４】
よって、液体化粧料塗布具の使用後において、液体化粧料が連通路の吐出口外に存在することがなくなる。このため、たとえ液体化粧料を粘度の高低によらずに、使用後に外気に触れることを一切無くし、外部での微生物汚染もなく、外気や外部からの微生物汚染等が全く生じることがなく、内蔵する液体化粧料を適切かつ確実に保護することができる。
【発明を実施するための最良の形態】
【００２５】
以下、本発明を液体化粧料塗布具の最良の形態に基づいて、添付図面を参照しながら詳述する。尚、本発明の液体化粧料塗布具（以下「液体塗布具」ともいう）は、以下の実施形態に限るものではない。
【００２６】
図１は、液体塗布具の第１の実施形態に係る側断面図である。
図２（ａ）、（ｂ）および（ｃ）は液体塗布具の第１の実施形態に係る先軸部分の構造の側断面図、半断面の平面図、および先端から軸方向視した図である。図３（ａ）、（ｂ）は図２の液体塗布具に設ける塗布体の斜視図、および縦断面図である。
【００２７】
図４（ａ）、（ｂ）および（ｃ）は液体塗布具の第２の実施形態に係る先軸部分の構造の側断面図、半断面の平面図、および先端から軸方向視した図である。
図５（ａ）、（ｂ）および（ｃ）は液体塗布具の第３の実施形態に係る先軸部分の構造の側断面図、半断面の平面図、および先端から軸方向視した図である。
【００２８】
図６（ａ）、（ｂ）および（ｃ）は液体塗布具の第４の実施形態に係る先軸部分の構造の側断面図、半断面の平面図、および先端から軸方向視した図である。
図７（ａ）、（ｂ）および（ｃ）は液体塗布具の第５の実施形態に係る先軸部分の構造の側断面図、半断面の平面図、および先端から軸方向視した図である。
【００２９】
図８（ａ）および（ｂ）は液体塗布具の第６の実施形態に係る塗布部の構造の側面図および平面図である。
図９は液体塗布具の第７の実施形態に係る縦断面図である。図１０（ａ）、（ｂ）および（ｃ）は液体塗布具の第７の実施形態に係る回転操作部材の内筒材の縦断面図、斜視図および図９のＣ−Ｃ線に沿う横断面視図である。
【００３０】
図１〜図３に示すように、第１の実施形態に係る液体塗布具１は、本体２内部の液体化粧料の塗布液４を加圧する液押圧機構（液押圧手段）６を具備し、液押圧機構６の押圧により塗布液４を塗布体１０へと供給するものである。
【００３１】
また、前記塗布体１０は、弾性材からなり、本体２内部と外部に通じる貫通孔からなる連通路２４が形成され、前記塗布体１０の塗布部分１０ａは、連通路２４の吐出口８から更に先端へ突出して設けられている。
【００３２】
また、図１に示すように、液体塗布具１は主要部材として外筒である本体２、本体先方配設の先軸３、本体内部の塗布液４、塗布体１０、液押圧機構６、および塗布体１０を覆うキャップ７を有してなる。
【００３３】
本体２は、概略中空筒状を呈し、その先端部に先細のキャップ７の内径とほぼ同一の外径を有する小径部２ａが形成され、その小径部２ａに着脱可能にキャップ７が着脱自在に嵌合される。
【００３４】
本体２の小径部２ａの開口内には、先軸３の基端が液密に嵌着され、本体２の後端には液押圧機構６が配されて、液押圧機構６のピストン体（ガスケット）３５は本体２の後端の開口内壁に密着して摺動可能に設けられている。
【００３５】
したがって、本体２内と、先軸３の後端部と、ピストン体３５とに囲まれる部分は塗布液４の塗布液収容空間（貯留タンク）２ｂとして形成されている。
【００３６】
液押圧機構６は、主要部材として回転操作部材３１、ねじ棒３２（押子）、ねじ棒３２の保持部材３４、および上述のピストン体３５とからなる。
【００３７】
回転操作部材３１は互いに回転不能に接合させた外筒キャップ３６と内筒材３７とからなり、回転操作部材３１全体は本体２後部に回転可能に設けられる。
【００３８】
保持部材３４は、環状部材からなり、本体２に回転不能に内挿によって取り付けられている。保持部材３４および回転操作部材３１（内筒材３７先方外周面）同士の噛合わせ部３８はラチェットが形成され、回転操作部材３１は、保持部材３４（それの固定された本体２）に対して一方向のみに回転するように回転規制されている。なおその他、その一方向に一定以上の回転力が加わった時に、その規制を解除して回転可能にするトルクリミッタ機能を付与することができる。
【００３９】
ねじ棒３２の外周には雄ねじが形成され、その雄ねじは保持部材３４の中心部孔内に形成された雌ねじに螺合される。また、ねじ棒３２の外周面部は、横断面視して異形のカム形状を呈し（例えば、横断面視で径方向端部に切り欠きが形成されて概略小判型形状を呈する）、回転操作部材３１の内筒材３７（噛合わせ部３８のさらに先方部）の係合部３９はその中心孔内形状がねじ棒３２外周形状に対応した異形のカム形状を呈している。上記のねじ棒３２が係合部３９の中心孔に挿通していることによって、ねじ棒３２が回転操作部材３１（係合部３９を介して）に軸方向に摺動可能にかつ相対回転不能に係合している。
【００４０】
ねじ棒３２の先端部はピストン体３５に連結され、回転操作部材３１が所定方向に回転すると、ねじ棒３２は保持部材３４を介して本体２の先端方向に向けて前進し、これによって、ピストン体３５を先端方向へと移動させ、塗布液４を押圧する。
【００４１】
図２〜図３に示すように、先軸３は先端に向かうにしたがって縮径する先細り形状の筒体構造を呈して形成され、その前後に解放した内部空間に塗布体１０をその先端部を突出させた状態で収容し、かつ、収容状態で本体２に固定する。塗布体１０は後述するように、先方になるほど平たく細くなる形状を呈している。
【００４２】
先軸３の後方部外周には環状の嵌合凹部３ａが形成されている。嵌合凹部３ａは本体２における小径部２ａの内面に形成された環状の嵌合凸部（図示せず）に圧入嵌合し、先軸３が本体２から抜脱することを防止している。
【００４３】
また、先軸３の外周部には鍔部３ｂが形成され、鍔部３ｂが小径部２ａの前端面に当接している。この先軸３の内面には、軸方向に延出するリブ３ｃが内周面の等間隔に複数本形成され、このリブ３ｃの後端面とパイプ継手１２の前端面とによって塗布体１０後端部の拡径したフランジ状部分を挟み付けて、塗布体１０を先軸３内で挟持・固定するようになっている。
【００４４】
塗布体１０は弾性体からなり、パイプ継手１２および塗布液供給パイプ１３に支持される。塗布液供給パイプ１３はパイプ継手１２の中央の貫通孔１２ａに嵌挿固定されると共に、塗布体１０に設けた孔部１０ｂの後端部から孔部の大径である中間部（先軸３の先端部）まで挿入され、液漏れ抑制機構を兼ねる。
【００４５】
塗布体１０は両面がテーパ部２１、２２で、偏平な先細り形状となっている。上面のテーパ部２１に段差が形成され、その肩部２３には連通路２４の吐出口８が扁平方向に沿う横長の矩形形状に開口している。塗布体１０の塗布部分１０ａは、連通路２４の吐出口８から更に先端に向けて形成されている。
【００４６】
連通路２４は塗布体１０の内部に軸方向に沿って形成された孔部１０ｂと連通され、液押圧機構６によって塗布液４が加圧された際に、孔部１０ｂを経由して連通路２４に塗布液４が流れる。
【００４７】
本発明では、塗布体１０は全体が弾性体であっても良く、また、先方の塗布部分１０ａのみが弾性体から構成して基部を変形しにくい被弾性体で構成しても良い。塗布部分１０ａの材質としては弾性材からなり、ゴム、エラストマー等の弾性材を上げることができる。また塗布部分１０ａの材質は液密性のある限り、例えば、連続気泡を有しない弾性体で、気泡を有しない弾性体または独立気泡弾性体であれば何ら問題なく使用することができる。
【００４８】
例えば、
（１）ゴムとしては、ＮＢＲ、シリコンゴム、ＥＰＤＭ、フロロシリコンゴム、フッ素ゴム、ウレタンゴム、天然ゴム、クロロブレンゴム、ブタジエンゴム、プチルゴム等がある。
（２）エラストマーとしては、スチレン系エラストマー、塩化ビニル系エラストマー、オレフィン系エラストマー、ポリエステル系エラストマー、ポリアミド系エラストマー、ウレタン系エラストマー等がある。
（３）独立気泡体としては、ポリエチレンフォーム、塩ビフォーム、ポリスチレンフォーム等がある。
【００４９】
図２〜図３に示すように、塗布部分１０ａは段差形成された肩部２３から更に延在する部分であり、平面部２５として形成され、平面部２５の一方面には粗面部２６が形成される。連通路２４は、肩部２３に上記のように横長矩形の吐出口８によって開口しており、連通路２４は、その内面の一部および吐出口８の一辺が前記粗面２６と連続面上に形成されている。
【００５０】
連通路２４の吐出口８から吐出した塗布液４は、一旦、平面部２５の粗面部２６に一時保持される。かかる部分での塗布液の保持量は、その使用する化粧品の種類によるものである。また、上記のように連通路２４の一部および吐出口８の一辺が前記粗面２６と連続面上に形成されているので、押し出された塗布液は滞留することなくスムーズに粗面２６上に流れ出す。
【００５１】
このように構成された液体塗布具１にあっては、その常態において、塗布液４は、本体２内、先軸３のパイプ継手１２内、塗布液供給パイプ１３内、および塗布体１０の孔部１０ｂに充填されている。また、使用時にあっては、ユーザが液押圧機構６の回転操作部材３１を所定量回転させると、この回転操作部材３１の回転により、ねじ棒３２は係合部３９の駆動伝達によって回転し、保持部材３４内との螺合によって先端に向けて前進する。
【００５２】
これにより、ピストン体３５が先端方向に前進し、塗布液収容空間２ｂ内の塗布液４を加圧する。この塗布液４は加圧によって連通路２４を通り塗布部分１０ａに押し出され、これにより、塗布液４は吐出口８から所定量吐出される。
【００５３】
吐出された塗布液４は、若干飛び出したとしても、先端に延在する平面部２５の粗面部２６に一時的に保持され、皮膚などの軟質な被塗布面へと誘導され塗布される。塗布終了後、平面部２５に溜まる塗布液はティッシュペーパーやウエス等で容易に拭き取られる。
【００５４】
また、液押圧機構６はラチェットを利用しているため、回転操作部材３１の一回の操作で、回転操作部材３１は決められた量だけ回動し、ピストン体３５を操作毎に所定量だけ押し出す機構を有する。このため、塗布液を所望の所定量だけ、正確に塗布部分１０ａに供給することができる。
【００５５】
したがって、加圧された際には、その吐出口８より塗布液４が吐出してスムーズに使用に供することができる。
【００５６】
また、連通路２４の吐出口８に、吐出した塗布液４を一時保持する平面部（液保持部）２５を塗布部分１０ａに設けることによって、吐出塗布液４の急激な飛び出し等に対してボタ落ちを防止することができる。
【００５７】
以上のことから、使用後に外気に触れる塗布液４は吐出口８からの塗布部分１０ａに限られ、これらは容易に除去できることから、高粘度の塗布液４であっても、簡便に塗布し得るだけでなく、外気や外部からの微生物汚染等から内蔵する塗布液４を十分に保護することができる。
【００５８】
図４は、本発明の液体塗布具の第２の実施形態に係る塗布部を示す図である。
図４に示す液体塗布具は、その塗布体１０以外の部分が、図２の先軸の構造とほぼ同様な構造となっているので、同様な部分或いは類似の部分については同一の符号を付してその詳しい説明を省略する。
【００５９】
図４に示すように、塗布体１０の肩部２３に存在する連通路２４の開口する吐出口８から更に先端に向けて櫛部４４が形成されている。吐出口８から吐出される塗布液４は一時的に櫛部４４に付着或いはその液の表面張力などにより保持され、櫛部４４は一時保持する液保持部となると共に、塗布部分１０ａの中心的な役割をしている。
【００６０】
図５は、本発明の液体塗布具の第３の実施形態に係る塗布部を示す図である。
図５に示す液体塗布具は、その塗布体１０以外の部分が、図２の先軸の構造とほぼ同様な構造となっているので、同様な部分或いは類似の部分については同一の符号を付してその詳しい説明を省略する。
【００６１】
図５に示すように、塗布体１０の肩部２３に存在する連通路２４の開口する吐出口８から更に先端に向けてシャベル、或いはスコップ等の概スコップ状部４３が形成されている。吐出口８から吐出される塗布液４は一時的に貯留され、概スコップ状部４３は液の一時保持部として形成されると共に、塗布部分１０ａの中心的な役割をしている。
【００６２】
図６は、本発明の液体塗布具の第４の実施形態に係る塗布部を示す図である。
図６に示す液体塗布具は、その塗布体１０以外の部分が、図２の先軸の構造とほぼ同様な構造となっているので、同様な部分或いは類似の部分については同一の符号を付してその詳しい説明を省略する。
【００６３】
図６に示すように、塗布体１０の肩部２３に存在する連通路２４の開口する吐出口８から更に先端に延在する一時的な液保持部４１は、先端が鋭角部４２に形成されたナイフ状になっている。かかる形状であれば、一時的液の保持が可能な一方、目、唇等の輪郭に沿って正確に塗布液４を塗布することができる。
【００６４】
図７は、本発明の液体塗布具の第５の実施形態に係る塗布部を示す図である。
図７に示す液体塗布具は、その塗布体１０以外の部分が、図２の先軸の構造とほぼ同様な構造となっているので、同様な部分或いは類似の部分については同一の符号を付してその詳しい説明を省略する。
【００６５】
図７に示す塗布体１０は、その連通路４５の開口する吐出口８が塗布体１０の軸方向に対して傾けて形成されるものである。このように本発明においては、連通路４５の吐出口８におけるスリット形状の入れ方はその塗布部および被塗布面の形態に応じて適宜変更することができる。
【００６６】
図８は、本発明の液体塗布具の第６の実施形態に係る塗布部を示す図である。
図８に示す液体塗布具は、その塗布体１０以外の部分が、図２の塗布部とほぼ同様な構造となっているので、同様な部分或いは類似の部分については同一の符号を付してその詳しい説明を省略する。
【００６７】
図８に示す塗布部分１０ａは、その肩部２３に存在する連通路２４の開口する吐出口８から更に先端へ延在する液保持部４７の両側に、二股爪４８が形成されている。このような構造にあっては、爪間で塗布液がその表面張力によって容易に保持され、また、特殊な被塗布面に対して好適に塗布することが可能である。
【００６８】
図９は、本発明の液体塗布具の第７の実施形態に係る全体を示す縦断面図、図１０は回転操作部材の詳細説明図である。
【００６９】
図９に示す液体塗布具２０は、その液減圧機構（液減圧手段）５４の構成以外は、図１、図２に示す本発明の液体塗布具の第１の実施形態とほぼ同様な構造となっているので、同様な部分或いは類似の部分については同一の符号を付してその詳しい説明を省略する。
【００７０】
図９〜図１０に示すように、第７の実施形態に係る液体塗布具２０は、本体２内部の塗布液４を減圧する液減圧機構５４を設けており、液押圧機構６によって塗布液４に対する加圧を停止した以後に、塗布液４を前記液減圧機構５４で減圧することによって、連通路２４の塗布液を本体２側に引き込める構成になっている。
【００７１】
液押圧機構６および液減圧機構５４は、本体２内部の塗布液収容空間２ｂ内に前進動・後退動することによって塗布液４を加圧・減圧するピストン体（圧力作用部）３５と、本体２の外部に面する回転操作部材３１への使用者による回転操作をピストン体３５の上記前進動・後退動作動に変換する操作変換部５５とを有している。
【００７２】
具体的には、第７の実施形態に係る液体塗布具２０は、図９〜図１０に示すように、主要部材として外筒である本体２、先軸３、塗布液４、液押圧機構６、液減圧機構５４、操作変換部５５、およびキャップ７８からなり、これら液減圧機構５４および操作変換部５５の構成が、図１に示した第１の実施形態における液体塗布具１の液押圧機構６のみのものと異なる。
【００７３】
塗布体１０は、図２〜図３に示したように、先軸３先方にから突出して露出する先端部が、両面テーパ部２１、２２で、偏平な先細り形状となっている。上面のテーパ部２１に段差が形成され、その肩部２３には孔部１０ｂの先方の連続する連通路２４の先端開口が吐出口８とされており、塗布体１０の塗布部分１０ａは吐出口８から更に先方に向けて形成されている。塗布体１０には、図２〜図３に示すものの他、図４〜図８に示すものを採用できることはもちろんである。
【００７４】
図９に示すように、第７の実施形に係る上記液体塗布具２０においては、本体２の後端には一体になった液押圧機構６および液減圧機構５４が配されており、液押圧機構６および液減圧機構５４のピストン体３５は本体２の後端の開口内壁に密着して摺動可能に設けられている。
【００７５】
液押圧機構６および液減圧機構５４は、主要部材として操作変換部５５、ねじ棒３２（押子）、ねじ棒３２の保持部材３４、および上述のピストン体３５とからなる。
【００７６】
操作変換部５５は互いに通常は相対回転不能で一定以上の回転力によって相対回転するように接合させた外筒キャップ５６と内筒材（「繰り出し体」とも称する）５７とからなり、操作変換部５５全体は本体２に回転可能に設けられる。
【００７７】
詳しくは、図１０に示すように、内筒材５７は、各所に切り欠きを設けた、前部（５７ｆ）、中央部（５７ｃ）から後部（５７ｒ）に行くにかけて段階的に拡径した概略筒体状のものである。
【００７８】
内筒材５７には、その後部の側面部にＵ字形状の切り欠きによって少なくとも径方向外側に弾性を付与した片持ち梁状の弾性構造５８が、また、前部の側面図にＵ字形状の切り欠きによって少なくとも径方向外側に弾性を付与した片持ち梁状の弾性構造５９がそれぞれ形成されている。
【００７９】
各片持ち梁状の弾性構造５８および５９のそれぞれの表面部には、軸方向視の断面が三角屋根状の突起５８ａおよび５９ａが径方向外側に向けて突出して設けられている。
【００８０】
内筒材５７の後部の中央部側には、その中央部よりも段状に拡径した複数の環状凸部が外周にあるフランジ部６０が形成される。内筒材５７前部を本体２内に装着した際に、このフランジ部６０前端面が本体２の後端面に当接して、それ以上本体２内に潜り込まないようにしており、外筒キャップ５６を内筒材５７後部に外着したときに外筒キャップ５６の内周の段部が上記のフランジ部６０の外周に回動可能に嵌り込み抜け止めしている。
【００８１】
また、外筒キャップ５６の内周面の後部には、軸方向に沿う溝が形成されていて、その溝に上記片持ち梁状の弾性構造５８表面の突起５８ａが噛み合って、内筒材５７と外筒キャップ５６とが操作時に一体に回るようにしており、一定以上の回転力が付与されたならば弾性構造５８の突起５８ａが外筒キャップ５６の溝からはずれて相対回転するクラッチ構造をなしている。
【００８２】
内筒材５７前部に設けられた係合部３９は、その前部中心孔内がねじ棒３２外周形状に対応した異形のカム形状を呈した孔である。上記のねじ棒３２が係合部３９の中心孔に挿通していることによって、ねじ棒３２が操作変換部５５（係合部３９を介して）に軸方向に摺動可能にかつ相対回転不能に係合している。
【００８３】
また、この係合部３９に挿通・係合するねじ棒３２の切り欠き部分以外の外周面には、雄ねじが形成され、その雄ねじは保持部材３４の中心部孔内に形成された雌ねじに螺合される。
【００８４】
実施形態では雄ねじおよび雌ねじは右ねじであり、操作変換部５５の外筒キャップ５６を本体２に対して右回転させると、係合部３９を介してねじ棒３２が右回転し、これによって、ねじ棒３２の雄ねじが保持部材３４の雌ねじによって前進し、ピストン体３５を押して、塗布液収容空間（貯留タンク）２ｂ内の塗布液を加圧する（液押圧機能）。逆に、前記外筒キャップ５６を本体２に対して左回転させると、係合部３９を介してねじ棒３２が左回転し、これによって、ねじ棒３２の雄ねじが保持部材３４の雌ねじによって後退し、ピストン体３５を引いて、塗布液収容空間２ｂ内の塗布液を減圧する（液減圧機能）。
【００８５】
なお、必要に応じて、ねじ棒３２と保持部材３４の各螺合箇所を左ねじとすることができる。その場合には、上記と逆に左回転で塗布液４を加圧し、一方、右回転で塗布液４を減圧する。
【００８６】
この保持部材３４は、太径部３４ａの内側の先方に細径部３４ｂを固定した概略二重筒状を呈した環状部材であり、太径部３４ａ外周面が本体２内に嵌められて回転不能に取り付けられている。
そして、保持部材３４の細径部３４ｂ内周面には、右ねじの雌ねじが形成され、太径部３４ａの内周面には、前記弾性構造５９の突起５９ａが嵌り込む歯状のラチェット溝からなる、噛合わせ部６１が内面全周に形成されている。
【００８７】
噛合わせ部６１の歯は、図１０（ｃ）に示すように、内周側角部が一方側がなだらかで他方側が切り立っている。前記内筒材５７を保持部材３４後方からはめ込んだ状態で、噛合わせ部６１に前記弾性構造５９の突起５９ａが嵌り込む。
【００８８】
操作変換部５５を本体２に対して右回り（図１０中、矢印Ｒ方向）に回転（一方側回転）させると外筒キャップ５６を介して内筒材５７が右回りに回転し、係合部３９を介してねじ棒３２が右回転し保持部材３４の雌ねじとの螺合によってねじ棒３２が前進しピストン体３５を繰り出して本体内の塗布液を加圧状態にする。
【００８９】
操作変換部５５、ねじ棒３２および保持部材３４に亘っては、操作変換部５５の内筒材５７を一方側回転させる際に（Ｒ方向回転）、突起５９ａは歯同士の間の溝に嵌り込んだ状態から上記のなだらかな角部に当たりその角部を乗り越えて次の溝に嵌り込むので、クリック間を感じさせつつ軽く回る加圧構造を構成する。
【００９０】
一方、同様の操作変換部５５、ねじ棒３２および保持部材３４に亘っては、この内筒材５７を他方側回転させる際に（反Ｒ方向回転）、突起５９ａは歯同士の間の溝に嵌り込んだ状態から上記の切り立った角部に当たりその角部を乗り越えて次の溝に嵌り込むので、回転させるには一方方向よりも強い力（トルク）を加えなければ回転しないので、規制感を感じさせつつ重く回る減圧構造を構成する。
【００９１】
このように、噛合わせ部６１では、保持部材３４と操作変換部５５（内筒材５７先方外周面）同士は塗布液４の吐出を望むときには、一方側にラチェットして容易に回転し吐出しやすくする。一方、使用後に塗布液４を引っ込めるときには他方側に回転可能にするが、その回転がしにくいように規制して塗布液４の減圧が緩やかになるようにしている。これによって、吐出口８から塗布液が急激に吐出されたり、塗布液４が急激に本体２内に引き込まれるのにつられて空気が引き込まれることを確実に防止できる。
【００９２】
もちろん、減圧時に、操作変換部５５に一定以上の回転力が加わった時に、塗布液４の急激な引き込みをしないように、上記の外筒キャップ５６の内周面と内筒材５７と弾性構造５８突起５８ａとの係合を外して、トルク伝達を解除して空回転可能にするトルクリミッタ機能を付与する。
【００９３】
なお、本発明は、上記の各実施形態に限定されるものではなく、本発明の技術思想の範囲内で変形実施できることはもちろんである。
【図面の簡単な説明】
【００９４】
【図１】液体化粧料塗布具（液体塗布具）の第１の実施形態に係る側断面図である。
【図２】（ａ）、（ｂ）および（ｃ）は液体化粧料塗布具の第１の実施形態に係る先軸部分の構造の側断面図、半断面の平面図、および先端から軸方向視した図である。
【図３】（ａ）、（ｂ）は図２の液体化粧料塗布具に設ける塗布体の斜視図、および縦断面図である。
【図４】（ａ）、（ｂ）および（ｃ）は液体化粧料塗布具の第２の実施形態に係る先軸部分の構造の側断面図、半断面の平面図、および先端から軸方向視した図である。
【図５】（ａ）、（ｂ）および（ｃ）は液体化粧料塗布具の第３の実施形態に係る先軸部分の構造の側断面図、半断面の平面図、および先端から軸方向視した図である。
【図６】（ａ）、（ｂ）および（ｃ）は液体化粧料塗布具の第４の実施形態に係る先軸部分の構造の側断面図、半断面の平面図、および先端から軸方向視した図である。
【図７】（ａ）、（ｂ）および（ｃ）は液体化粧料塗布具の第５の実施形態に係る先軸部分の構造の側断面図、半断面の平面図、および先端から軸方向視した図である。
【図８】（ａ）および（ｂ）は液体化粧料塗布具の第６の実施形態に係る塗布部の構造の側面図および平面図である。
【図９】液体化粧料塗布具の第７の実施形態に係る縦断面図である。
【図１０】（ａ）、（ｂ）および（ｃ）は液体化粧料塗布具の第７の実施形態に係る回転操作部材の内筒材の縦断面図、斜視図および図９のＣ−Ｃ線に沿う横断面視図である。
【符号の説明】
【００９５】
１      液体塗布具（液体化粧料塗布具）
２      本体
２ａ    小径部
２ｂ    塗布液収容空間（貯留タンク）
３      先軸
４      塗布液（液体化粧料）
６      液押圧機構（液押圧手段）
７      キャップ
８      吐出口
１０    塗布体
１０ａ  塗布部分
１２    パイプ継手
１２ａ  貫通孔
１３    塗布液供給パイプ
２０    液体塗布具
２１    テーパ部
２３    肩部
２４    連通路
２５    平面部（一時液保持部）
２６    粗面部
３１    回転操作部材
３２    ねじ棒
３４    保持部材
３４ａ  太径部
３４ｂ  細径部
３５    ピストン体
３６    外筒キャップ
３７    内筒材
３８    噛合わせ部
３９    係合部
４１    液保持部
４２    鋭角部
４３    概スコップ状部
４４    櫛部
４５    連通路
４７    液保持部
４８    二股爪
５４    液減圧機構（液減圧手段）
５５    操作変換部
５６    外筒キャップ
５７    内筒材
５８    弾性構造
５８ａ  突起
５９    弾性構造
５９ａ  突起
６０    フランジ部
６１    噛合わせ部
Ｒ      右回転方向（加圧方向）
【図１】
0005164485.tif 000002
【図２】
0005164485.tif 000003
【図３】
0005164485.tif 000004
【図４】
0005164485.tif 000005
【図５】
0005164485.tif 000006
【図６】
0005164485.tif 000007
【図７】
0005164485.tif 000008
【図８】
0005164485.tif 000009
【図９】
0005164485.tif 000010
【図１０】
0005164485.tif 000011